(57)【要約】      （修正有）【課題】印刷に使用する印刷インクの使用量を少なくして、写真画像とその写真画像を装飾する写真装飾用画像の印刷を行うことができる印刷装置及び印刷制御プログラムを提供する。【解決手段】写真画像に該写真画像を切り抜く切抜領域を設定し（Ｓ６）、写真装飾用画像に切り抜いた写真画像を貼り付ける貼付領域を設定する（Ｓ７）。印刷が指示されると、写真画像の切抜領域内の画像データは残され切抜領域を除く領域の画像データが空白データに変換されて写真画像が用紙に印刷される（Ｓ９、Ｓ１０）。また、貼付領域以外の領域の画像データは残され貼付領域内の画像データが空白データに変換されて用紙に写真装飾用画像が印刷される（Ｓ１２、Ｓ１３）。印刷された写真画像は切抜領域で切り抜かれ、写真装飾用画像の貼付領域上に貼り付けられる。【選択図】図２
2009234157.tif 000002
【特許請求の範囲】
【請求項１】
写真装飾用画像が印刷された用紙の上面に、切り抜かれた写真画像の用紙を貼り付けて、前記写真装飾用画像により前記写真画像を装飾する印刷物を作成するべく、前記写真画像及び前記写真装飾用画像を印刷する印刷装置であって、
前記写真画像に、前記写真画像の印刷後に該写真画像を切り抜く切抜領域を設定する切抜領域設定手段と、
前記写真装飾用画像に、前記切抜領域に対応させて、切り抜かれた前記写真画像を貼り付けるための貼付領域を設定する貼付領域設定手段と、
前記写真画像に対して、前記切抜領域内の画像データを残して前記切抜領域を除いた画像領域の画像データを余白データに変換するとともに、前記写真装飾用画像に対して、前記貼付領域を除いた画像領域の画像データを残して前記貼付領域内の画像データを余白データに変換する画像処理手段と、
前記画像処理手段によって画像処理された前記写真画像及び前記写真装飾用画像の画像データに基づいて、前記写真画像及び前記写真装飾用画像を夫々用紙に印刷する印刷制御手段と、
を備えることを特徴とする印刷装置。
【請求項２】
前記貼付領域設定手段は、前記貼付領域の輪郭サイズを前記切抜領域の輪郭サイズより小さく設定することを特徴とする請求項１記載の印刷装置。
【請求項３】
前記画像処理手段は、前記写真画像の画像データに対して、前記切抜領域の輪郭位置に切抜位置を示す切抜枠データを付加するとともに、前記写真装飾用画像の画像データに対して、前記貼付領域の輪郭位置に貼付位置を示す貼付枠データを付加することを特徴とする請求項１又は２記載の印刷装置。
【請求項４】
写真画像表示用の窓が切り抜かれ写真装飾用画像が印刷された用紙の下面に、前記窓から写真画像が表示されるようにして該写真画像が印刷された用紙を貼り付けて、前記写真装飾用画像により前記写真画像を装飾する印刷物を作成するべく、前記写真画像及び前記写真装飾用画像を印刷する印刷装置であって、
前記写真画像に、該写真画像が前記窓から表示される画像表示領域を設定する画像表示領域設定手段と、
前記写真装飾用画像に、前記画像表示領域に対応させて、前記窓を配置するための窓領域を設定する窓領域設定手段と、
前記写真画像に対して、前記画像表示領域内の画像データを残して前記画像表示領域を除いた画像領域の画像データを余白データに変換するとともに、前記写真装飾用画像に対して、前記窓領域を除いた画像領域の画像データを残して前記窓領域内の画像データを余白データに変換する画像処理手段と、
前記画像処理手段によって画像処理された前記写真画像及び前記写真装飾用画像の画像データに基づいて、前記写真画像及び前記写真装飾用画像を夫々用紙に印刷する印刷制御手段と、
を備えることを特徴とする印刷装置。
【請求項５】
前記窓設定手段は、前記窓領域の輪郭サイズを前記画像表示領域の輪郭サイズより小さく設定することを特徴とする請求項４記載の印刷装置。
【請求項６】
前記画像処理手段は、前記写真画像の画像データに対して、前記画像表示領域の輪郭位置に前記窓領域に位置合わせするための位置合せ枠データを付加するとともに、前記写真装飾用画像の画像データに対して、前記窓領域の輪郭位置に切断位置を示す切断枠データを付加することを特徴とする請求項４又は５記載の印刷装置。
【請求項７】
写真装飾用画像が印刷された用紙の上面に、切り抜かれた写真画像の用紙を貼り付けて、前記写真装飾用画像により前記写真画像を装飾する印刷物を作成するべく、前記写真画像及び前記写真装飾用画像を印刷する印刷装置のコンピュータを制御するための印刷処理プログラムであって、
前記コンピュータを、
前記写真画像に、前記写真画像の印刷後に該写真画像を切り抜く切抜領域を設定する切抜領域設定手段と、
前記写真装飾用画像に、前記切抜領域に対応させて、切り抜かれた前記写真画像を貼り付けるための貼付領域を設定する貼付領域設定手段と、
前記写真画像に対して、前記切抜領域内の画像データを残して前記切抜領域を除いた画像領域の画像データを余白データに変換するとともに、前記写真装飾用画像に対して、前記貼付領域を除いた画像領域の画像データを残して前記貼付領域内の画像データを余白データに変換する画像処理手段と、
前記画像処理手段によって画像処理された前記写真画像及び前記写真装飾用画像の画像データに基づいて、前記写真画像及び前記写真装飾用画像を夫々用紙に印刷する印刷制御手段、
として機能させるようにしたコンピュータ読み込み可能な印刷処理プログラム。
【請求項８】
写真画像表示用の窓が切り抜かれ写真装飾用画像が印刷された用紙の下面に、前記窓から写真画像表示されるようにして該写真画像が印刷された用紙を貼り付けて、前記写真装飾用画像により前記写真画像を装飾する印刷物を作成するべく、前記写真画像及び前記写真装飾用画像を印刷する印刷装置のコンピュータを制御するための印刷処理プログラムであって、
前記コンピュータを、
前記写真画像に、該写真画像が前記窓から表示される画像表示領域を設定する画像表示領域設定手段と、
前記写真装飾用画像に、前記画像表示領域に対応させて、前記窓を配置するための窓領域を設定する窓領域設定手段と、
前記写真画像に対して、前記画像表示領域内の画像データを残して前記画像表示領域を除いた画像領域の画像データを余白データに変換するとともに、前記写真装飾用画像に対して、前記窓領域を除いた画像領域の画像データを残して前記窓領域内の画像データを余白データに変換する画像処理手段と、
前記画像処理手段によって画像処理された前記写真画像及び前記写真装飾用画像の画像データに基づいて、前記写真画像及び前記写真装飾用画像を夫々用紙に印刷する印刷制御手段、
として機能させるようにしたコンピュータ読み込み可能な印刷処理プログラム。
【発明の詳細な説明】
【技術分野】
【０００１】
本発明は、写真装飾用画像が印刷された用紙に写真画像が印刷された用紙を貼り付けて、写真画像を装飾する印刷物を作成するために、写真画像及び写真装飾用画像を用紙に印刷する印刷装置および印刷処理プログラムに関し、特にスクラップブッキングに使用する画像の印刷に適用することができる。
【背景技術】
【０００２】
近年、スクラップブックを作成するスクラップブッキングが流行している。このスクラップブッキングは、ペーパークラフトの１つであり、写真装飾用の飾りを有する台紙上に任意の形状に切り取った写真を貼り付け、あるいは写真装飾用の飾りを有する用紙に窓を切り抜いて形成したフレームに、その切抜窓から写真が露出するように写真とフレームを貼り合わせる等して作成する。このスクラップブッキングによって完成した作品では、写真と飾りを貼り合せるものであるため、立体感を持たせることができ、従来の写真と装飾とを画像合成して１枚の用紙に印刷する平面的な写真印刷とはまた異なった印象が得られ優れた装飾効果を得ることができる。
【特許文献１】特開２００７−１２５８７５号公報
【発明の開示】
【発明が解決しようとする課題】
【０００３】
ところで、従来のスクラップブック印刷では、写真とその写真を装飾する台紙やフレームの印刷を別々の用紙に印刷し、印刷した写真を写真装飾用の台紙上に貼り付けるために写真を任意の形状に切断したり、写真装飾用のフレームとして写真配置用の窓を切り抜きしたりするものであるが、この用紙の切断加工とは関係なく写真や台紙やフレームの印刷が用紙全体に行われ、互いに重なり合って隠れてしまう領域や切断されて取り除かれる領域にも印刷が行われるため、必要以上にインクの使用量が多くなって無駄が生じるという問題がある。
【０００４】
本発明は上記の問題点を解決するものであり、写真装飾用画像が印刷された用紙の上面に、切り抜かれた写真画像が印刷された用紙を貼り付けて、写真装飾用画像により写真画像を装飾する印刷物を作成するために、あるいは、窓が切り抜かれ写真装飾用画像が印刷された用紙の下面に、窓から写真画像が表示されるようにして写真画像が印刷された用紙を貼り付けて、写真装飾用画像により写真画像を装飾する印刷物を作成するために、その写真画像及び写真装飾用画像を印刷する場合に、印刷インクの使用量を少なくして無駄のない印刷が可能な印刷装置および印刷処理プログラムを提供することを目的とする。
【課題を解決するための手段】
【０００５】
請求項１の発明は、写真装飾用画像が印刷された用紙の上面に、切り抜かれた写真画像の用紙を貼り付けて、前記写真装飾用画像により前記写真画像を装飾する印刷物を作成するべく、前記写真画像及び前記写真装飾用画像を印刷する印刷装置であって、前記写真画像に、前記写真画像の印刷後に該写真画像を切り抜く切抜領域を設定する切抜領域設定手段と、前記写真装飾用画像に、前記切抜領域に対応させて、切り抜かれた前記写真画像を貼り付けるための貼付領域を設定する貼付領域設定手段と、前記写真画像に対して、前記切抜領域内の画像データを残して前記切抜領域を除いた画像領域の画像データを余白データに変換するとともに、前記写真装飾用画像に対して、前記貼付領域を除いた画像領域の画像データを残して前記貼付領域内の画像データを余白データに変換する画像処理手段と、前記画像処理手段によって画像処理された前記写真画像及び前記写真装飾用画像の画像データに基づいて、前記写真画像及び前記写真装飾用画像を夫々用紙に印刷する印刷制御手段とを備えることを特徴とする。
【０００６】
請求項２の発明は、前記貼付領域設定手段は、前記貼付領域の輪郭サイズを前記切抜領域の輪郭サイズより小さく設定することを特徴とする。
【０００７】
請求項３の発明は、前記画像処理手段は、前記写真画像の画像データに対して、前記切抜領域の輪郭位置に切抜位置を示す切抜枠データを付加するとともに、前記写真装飾用画像の画像データに対して、前記貼付領域の輪郭位置に貼付位置を示す貼付枠データを付加することを特徴とする。
【０００８】
請求項４の発明は、写真画像表示用の窓が切り抜かれ写真装飾用画像が印刷された用紙の下面に、前記窓から写真画像が表示されるようにして該写真画像が印刷された用紙を貼り付けて、前記写真装飾用画像により前記写真画像を装飾する印刷物を作成するべく、前記写真画像及び前記写真装飾用画像を印刷する印刷装置であって、前記写真画像に、該写真画像が前記窓から表示される画像表示領域を設定する画像表示領域設定手段と、前記写真装飾用画像に、前記画像表示領域に対応させて、前記窓を配置するための窓領域を設定する窓領域設定手段と、前記写真画像に対して、前記画像表示領域の画像データを残して前記画像表示領域を除いた画像領域の画像データを余白データに変換するとともに、前記写真装飾用画像に対して、前記窓領域を除いた画像領域の画像データを残して前記窓領域の画像データを余白データに変換する画像処理手段と、前記画像処理手段によって画像処理された前記写真画像及び前記写真装飾用画像の画像データに基づいて、前記写真画像及び前記写真装飾用画像を夫々用紙に印刷する印刷制御手段とを備えることを特徴とする。
【０００９】
請求項５の発明は、前記窓設定手段は、前記窓領域の輪郭サイズを前記画像表示領域の輪郭サイズより小さく設定することを特徴とする。
【００１０】
請求項６の発明は、前記画像処理手段は、前記写真画像の画像データに対して、前記画像表示領域の輪郭位置に前記窓領域に位置合わせするための位置合せ枠データを付加するとともに、前記写真装飾用画像の画像データに対して、前記窓領域の輪郭位置に切断位置を示す切断枠データを付加することを特徴とする。
【００１１】
請求項７の発明は、写真装飾用画像が印刷された用紙の上面に、切り抜かれた写真画像の用紙を貼り付けて、前記写真装飾用画像により前記写真画像を装飾する印刷物を作成するべく、前記写真画像及び前記写真装飾用画像を印刷する印刷装置のコンピュータを制御するための印刷処理プログラムであって、前記コンピュータを、前記写真画像に、前記写真画像の印刷後に該写真画像を切り抜く切抜領域を設定する切抜領域設定手段と、前記写真装飾用画像に、前記切抜領域に対応させて、切り抜かれた前記写真画像を貼り付けるための貼付領域を設定する貼付領域設定手段と、前記写真画像に対して、前記切抜領域内の画像データを残して前記切抜領域を除いた画像領域の画像データを余白データに変換するとともに、前記写真装飾用画像に対して、前記貼付領域を除いた画像領域の画像データを残して前記貼付領域内の画像データを余白データに変換する画像処理手段と、前記画像処理手段によって画像処理された前記写真画像及び前記写真装飾用画像の画像データに基づいて、前記写真画像及び前記写真装飾用画像を夫々用紙に印刷する印刷制御手段、として機能させるようにしたコンピュータ読み込み可能な印刷処理プログラムである。
【００１２】
請求項８の発明は、写真画像表示用の窓が切り抜かれ写真装飾用画像が印刷された用紙の下面に、前記窓から写真画像表示されるようにして該写真画像が印刷された用紙を貼り付けて、前記写真装飾用画像により前記写真画像を装飾する印刷物を作成するべく、前記写真画像及び前記写真装飾用画像を印刷する印刷装置のコンピュータを制御するための印刷処理プログラムであって、前記コンピュータを、前記写真画像に、該写真画像が前記窓から表示される画像表示領域を設定する画像表示領域設定手段と、前記写真装飾用画像に、前記画像表示領域に対応させて、前記窓を配置するための窓領域を設定する窓領域設定手段と、前記写真画像に対して、前記画像表示領域の画像データを残して前記画像表示領域を除いた画像領域の画像データを余白データに変換するとともに、前記写真装飾用画像に対して、前記窓領域を除いた画像領域の画像データを残して前記窓領域の画像データを余白データに変換する画像処理手段と、前記画像処理手段によって画像処理された前記写真画像及び前記写真装飾用画像の画像データに基づいて、前記写真画像及び前記写真装飾用画像を夫々用紙に印刷する印刷制御手段、として機能させるようにしたコンピュータ読み込み可能な印刷処理プログラムである。
【発明の効果】
【００１３】
請求項１の発明によれば、写真画像の画像データに対して、写真画像の切抜領域内の画像データを残して写真画像の切抜領域を除いた画像領域の画像データを余白データに変換するとともに、写真画像が上面に貼り付けられる写真装飾用画像に対して、貼付領域を除いた画像領域の画像データを残して貼付領域内の画像データを余白データに変換する画像処理手段を備えて、写真画像及び写真装飾用画像を夫々用紙に印刷するように構成したので、写真画像と写真装飾用画像の互いに重なり合って隠れてしまう領域や切断されて取り除かれる領域には印刷が行われることがなく、印刷インクの使用量を少なくすることができる。
【００１４】
また、請求項４の発明によれば、写真画像の画像データに対して、写真画像の画像表示領域内の画像データを残して写真画像の画像表示領域を除いた画像領域の画像データを余白データに変換するとともに、写真装飾用画像の画像データに対して、窓領域を除いた画像領域の画像データを残して窓領域内の画像データを余白データに変換する画像処理手段を備えて、写真画像及び写真装飾用画像を夫々用紙に印刷するように構成したので、写真画像と写真装飾用画像の互いに重なり合って隠れてしまう領域や切断されて取り除かれる領域には印刷が行われることがなく、印刷インクの使用量を少なくすることができる。
【発明を実施するための最良の形態】
【００１５】
以下、本発明の実施形態について図面を参照して説明する。図１は本発明の実施形態に係る印刷装置の電子回路のブロック図を示している。この印刷装置の電子回路には、コンピュータであるＣＰＵからなる制御部１が備えられる。制御部１は、入力部２からのキー操作信号に応じてＲＯＭ５に予め記憶されているシステムプログラム、あるいはＣＤ−ＲＯＭなどの外部記憶媒体１１からその記憶媒体読み取り部１２を介して内部メモリに読み込まれた装置制御プログラム、あるいは外部通信ネットワークＮ上のＷｅｂサーバ１３から通信制御部１４を介して内部メモリに読み込まれた装置制御プログラムを起動させ、ＲＡＭ６をワークメモリとして回路各部の動作を制御する。この制御部１には、入力部２、表示部３、プリンタ部４、ＲＯＭ５、ＲＡＭ６が接続される。前記プリンタ部４はインクジェットプリンタで構成される。
【００１６】
また、制御部１には、メモリカード制御部７、装飾画像メモリ９及びタッチパネル１０が接続される。メモリカード制御部７は、デジカメの写真画像を記録したメモリカードが着脱されるメモリカードコネクタ８を介して写真画像の画像データを取り込んで、その取り込んだ画像データを制御部１に転送する回路である。また、装飾画像メモリ９は、複数の写真装飾用画像の画像データを予め記憶保持するものであり、この写真装飾用画像のデータは、その写真装飾用画像を選択する際に表示部３の画面に表示するためのサムネイル画像の画像データ及びそれに対応する実画像データで構成される。写真装飾用画像は写真画像を装飾するための種々の模様や図形や画像等がその画像領域の全体に配置されている。この装飾画像メモリ９に記憶された写真装飾用画像の画像データを用いて用紙に写真装飾用画像を印刷するとともに、取り込んだ写真画像を用紙に印刷し、写真装飾用画像と写真画像を貼り合せて写真画像を装飾する印刷物を作成するものである。また、タッチパネル１０が表示部３の表示画面上に設けられる。
【００１７】
ＲＯＭ５には、本発明に係る写真画像を装飾するための印刷物を作成するために、写真画像及び写真装飾用画像を印刷するためのプログラム、及びプリンタ部４によって行われる印刷処理に関するプログラムが記憶されている。また、ＲＡＭ６には、取り込まれた写真画像の画像データが記憶される画像データメモリ、写真画像や写真装飾用画像の印刷パターンデータ（印刷データ）が記憶される印刷データメモリ、表示部３に表示されるパターンデータが記憶される表示データメモリの各領域が確保され、印刷処理などに必要なデータを一時的に記憶するレジスタやカウンタなどが設けられている。
【００１８】
次に、本発明の印刷装置の印刷処理について説明する。まず、第１の実施の形態の印刷処理では、写真装飾用画像と、任意に切り抜いて写真装飾用画像の上に貼り付ける写真画像を印刷するものである。図２は第１の実施の形態に係る印刷処理のフローチャートである。デジカメで撮影された写真画像を記録したメモリカードがメモリカードコネクタ８に装着された状態で、メモリカード制御部７によってメモリカードに記録されている写真画像のサムネイル画像が読み出されて表示部３に一覧表示される（ステップＳ１）。次に、表示部３に表示されたサムネイル画像の一覧から所望の写真画像が選択される（ステップＳ２）。選択されたサムネイル画像に対応する写真画像の実画像データがメモリカードから取り込まれてＲＡＭ６の画像メモリに記憶される（ステップＳ３）。次に、写真装飾用画像のサムネイル画像が装飾画像メモリ９から読み出されて表示部３に一覧表示される（ステップＳ４）。そして、表示部３に表示された写真装飾用画像の一覧から所望の写真装飾用画像が選択される（ステップＳ５）。
【００１９】
次に、ステップＳ２で選択された写真画像が表示部３に表示されるとともに、写真画像を切り抜く切抜領域の設定を行うための切抜枠が写真画像と重ねて表示部３に表示され、写真画像の所望の領域に切抜領域を設定する処理が行われる（ステップＳ６）。表示部３に表示される切抜枠は入力部２のキー操作により表示部３の画面の上下左右に移動させて写真画像の所望の領域に移動配置することが可能であり、また別のキー操作によりその切抜枠のサイズを大小変更可能になっている。図４は、メモリカードから取り込まれてＲＡＭ６の画像メモリに記憶される選択された写真画像の実画像（後に行う画像処理前の元画像）の説明図である。符号２０は選択された写真画像の元画像であり、２１は切抜枠、２２は切抜領域、２３は切抜領域外の領域を表している。入力部２の所定キーにより切抜領域の位置指定の確定操作をすると、表示部３に表示された切抜枠２１内の位置に対応する写真画像２０の画像データのアドレスデータがＲＡＭ６に記憶されて切抜領域が設定される。なお、図４では、切抜枠は矩形としているが、その他の任意の形状であってよい。また表示部３に写真画像が表示された状態で表示画面上に設けられたタッチパネル１０をタッチペンでタッチすることにより手書により任意形状の切抜枠を描画してもよく、ペンタッチされたタッチパネル１０の座標を検出し、その座標値に対応する写真画像の画像データのアドレスを記憶することにより切抜領域の設定が行われる。
【００２０】
次に、ステップＳ６での写真画像の切抜領域の設定に対応して、写真画像と組み合せる写真装飾用画像に、写真画像を写真装飾用画像上に貼り付けるための貼付領域の位置を設定する処理が行われる（ステップＳ７）。この貼付領域の位置の設定では、前記切抜枠と形状が同じ貼付領域枠を写真装飾用画像上と重ねて表示部３に表示し、写真装飾用画像の所望の領域に貼付領域枠を移動操作して行なう。この貼付領域は写真画像に設ける切抜領域に対応するものであるため、印刷出力された状態では、その形状及びサイズは写真画像に設ける切抜領域に対応するものであるが、サイズについては、写真画像に設ける切抜領域より幾分小さくする。図６は、ステップＳ５で選択された写真装飾用画像の実画像（後に行う画像処理前の元画像）の説明図である。斜線の部分は、装飾用の画像データが存在している領域を示している（以下、同様）。符号３０は写真装飾用画像の元画像であり、３１は貼付領域枠、３２は貼付領域、３３は貼付領域外の領域を表している。２２は写真画像に設定した切抜領域であり、貼付領域枠３１との関係を示すために記載している。入力部２の所定キーにより貼付領域の位置指定の確定操作をすると、表示部３に表示された貼付領域枠３１内の位置に対応する写真画像２０の画像データのアドレスデータがＲＡＭ６に記憶されて貼付領域が設定される。なお、切抜領域２２と貼付領域３２の関係は、両者が夫々印刷された場合に、両者が同じサイズとなって重なるようにしてもよいが、少なくとも写真装飾用画像３０に設ける貼付領域３２のサイズが写真画像２０の切抜領域２２のサイズより若干小さく、貼付領域３２が切抜領域２２の大きさに切り抜かれた写真画像によって隠れるように印刷されることが好ましい。
【００２１】
次に、入力部２の所定のキーの操作によって印字開始が指示されると（ステップＳ８）、図４に示す写真画像の元画像２０について、その切抜領域２２内の画像データを残して切抜領域外の領域２３の画像データを空白データに変換する画像処理が行われる（ステップＳ９）。図５は、画像処理された後の写真画像の処理画像の説明図である。符号２０ａは写真画像の処理画像を示している。図５に図示のように、切抜領域２２の画像データをそのまま残し切抜領域外の領域２３は画像データが存在しない空白データとしている。図５の符号２１ａは、印刷後に用紙の切断位置を示すために付加された切抜枠データである。
【００２２】
次に、ステップＳ９で写真画像の処理画像２０ａの画像データに基づいて、Ｙ（イエロー）、Ｍ（マゼンタ）及びＣ（シアン）の各色の印刷データが作成される（ステップＳ１０）。そして、作成された印刷データに基づいてプリンタ部４によって用紙に写真画像（写真画像の処理画像２０ａ）の印刷が行われる（ステップＳ１１）。
【００２３】
次に、図６に示す写真装飾用画像の元画像３０について、その貼付領域外の領域３３の画像データを残して貼付領域３２の画像データを空白データに変換する画像処理が行われる（ステップＳ１２）。図７は、画像処理された後の写真装飾用画像の処理画像の説明図である。符号３０ａは写真装飾用画像の処理画像を示している。図７に図示のように、貼付領域外の領域３３の画像領域の画像データをそのまま残して貼付領域３２を画像データが存在しない空白データとしている。図７の符号３１ａは貼付位置を示すために付加された貼付枠データである。
【００２４】
次に、ステップＳ１２で画像処理された写真装飾用画像３０ａの画像データに基づいて、Ｙ（イエロー）、Ｍ（マゼンタ）及びＣ（シアン）の各色の印刷データが作成される（ステップＳ１３）。そして、作成された印刷データに基づいてプリンタ部４によって用紙に写真装飾用画像（画像処理された写真装飾用画像３０ａ）の印刷が行われる（ステップＳ１４）。
【００２５】
写真画像の印刷の後、印刷された写真画像の切抜枠データ２１ａに対応して印刷される切抜枠に沿って用紙をはさみで切断する。例えば、図５に示す態様で用紙に印刷された写真画像を符号２１ａで示す切抜領域の輪郭に沿って切断する。図８に符号２０ｂで示す写真画像は、用紙に印刷されたものを切り抜いた写真画像を示している。また、符号３０ｂは用紙に印刷された写真装飾用画像を示している。
【００２６】
しかして、用紙に印刷され切断加工された写真画像２０ｂの裏面に接着剤を塗布し、用紙に印刷された写真装飾用画像３０ｂの貼付領域３２上に位置合わせし、写真装飾用画像３０ｂの貼付領域３２が覆われて隠れるようにして貼り付ける。図９は完成した印刷物４０を表している。
【００２７】
以上のように、第１の実施の形態によれば、切り抜かれる写真画像の画像データに対して、写真画像の切抜領域２２内の画像データを残して写真画像の切抜領域２２を除いた画像領域の画像データを余白データに変換するとともに、写真画像が上面に貼り付けられる写真装飾用画像に対して、貼付領域３２を除いた画像領域の画像データを残して貼付領域３２内の画像データを余白データに変換して、写真画像及び写真装飾用画像を夫々用紙に印刷するようにしたので、写真画像の切抜領域外の領域２３や写真装飾用画像の貼付領域３２など、写真画像と写真装飾用画像が互いに重なり合って隠れてしまう領域や切断されて取り除かれる領域には印刷が行われることがなく、したがって印刷に使用する印刷インクの使用量を少なくすることができる。
【００２８】
次に、本発明の印刷装置によって行われる第２の実施の形態に係る印刷処理について説明する。第２の実施の形態に係る印刷処理は、写真画像表示用の窓を設ける写真装飾用画像と、その写真装飾用画像に貼り付けて写真画像表示用の窓から表示する写真画像を印刷するものである。図３は第２の実施の形態に係る印刷処理のフローチャートである。まず、メモリカードに記録されている写真画像のサムネイル画像が読み出されて表示部３に一覧表示される（ステップＡ１）。次に、表示部３に表示されたサムネイル画像の一覧から所望の写真画像が選択され（ステップＡ２）、選択されたサムネイル画像に対応する写真画像の実画像データがＲＡＭ６の画像メモリに取り込まれる（ステップＡ３）。次に、写真装飾用画像のサムネイル画像が装飾画像メモリ９から読み出されて表示部３に一覧表示される（ステップＡ４）。そして、表示部３に表示された写真装飾用画像の一覧から所望の写真装飾用画像が選択される（ステップＡ５）。
【００２９】
次に、ステップＡ２で選択された写真画像が表示部３に表示されるとともに、写真装飾用画像に設ける写真画像表示用の窓内に表示する、写真画像の画像表示領域を設定するために、画像表示領域設定枠が写真画像の元画像と重ねて表示部３に表示され、写真画像の元画像２０の画像領域の中で写真装飾用画像に設ける窓枠内に表示したい所望の領域（画像表示領域）を設定する処理が行われる（ステップＡ６）。図１０は、メモリカードから取り込まれてＲＡＭ６の画像メモリに記憶される選択された写真画像の実画像（後の画像処理前の元画像）の説明図である。図１０中、２０は写真画像の元画像、２５は画像表示領域設定枠、２６は画像表示領域、２７は画像表示領域外の領域を表している。画像表示領域２６が確定すると、写真画像の元画像２０の画像データにおける画像表示領域２６の位置がアドレスデータとしてＲＡＭ６に記憶される。なお、このステップＡ６の処理は、図２のステップＳ６の写真画像の切取領域の設定と実質同一である。
【００３０】
次に、ステップＡ６での写真画像の画像表示領域の設定に対応して、写真画像と組み合せる写真装飾用画像に、写真画像表示用の窓領域の位置の設定が行われる（ステップＡ７）。この窓領域の位置の設定では、前記画像表示領域設定枠と形状が同じ窓領域設定枠を写真装飾用画像上と重ねて表示部３に表示し、写真装飾用画像の所望の領域に窓領域設定枠を移動操作して行なう。この窓領域は写真画像に設ける画像表示領域に対応するものであるため、印刷出力された状態では、その形状及びサイズは写真画像に設ける画像表示領域に対応するものであるが、サイズについては、写真画像に設ける画像表示領域より幾分小さくする。図１２は、ステップＡ５で選択された写真装飾用画像の実画像（後の画像処理前の元画像）の説明図である。符号３０は選択された写真装飾用画像の元画像であり、３４は窓領域設定枠、３５は窓領域、３６は窓領域外の領域を表している。入力部２の所定キーにより窓領域３５の位置指定の確定操作をすると、表示部３に表示された窓領域設定枠３４内の位置に対応する写真装飾用画像３０の画像データのアドレスがＲＡＭ６に記憶されて窓領域３５が設定される。
【００３１】
次に、入力部２の所定のキーの操作によって印字開始が指示されると（ステップＡ８）、図１０に示す写真画像の元画像２０について、その画像表示領域２６内の画像データを残して画像表示領域２６の外側の画像表示領域外の領域２７の画像データを空白データに変換する画像処理が行われる（ステップＡ９）。図１１は、画像処理された後の写真画像の処理画像の説明図である。符号２０ｃは写真画像の処理画像を示している。図１１に図示のように、画像表示領域２６の画像領域の画像データをそのまま残して画像表示領域外の領域２７は画像データが存在しない空白データとしている。なお、写真画像の処理画像２０ｃには写真装飾用画像の窓領域３５に位置合わせする位置合わせ枠データ２５ａが付加される。
【００３２】
次に、ステップＡ９で画像処理された写真画像２０ｃの画像データに基づいて、Ｙ（イエロー）、Ｍ（マゼンタ）及びＣ（シアン）の各色の印刷データが作成される（ステップＡ１０）。そして、作成された印刷データに基づいてプリンタ部４によって用紙に写真画像の印刷が行われる（ステップＡ１１）。
【００３３】
次に、図１２に示す写真装飾用画像の元画像３０について、その窓領域３５の外側の窓領域外の領域３６の画像データを残して窓領域３５内の画像データを空白データに変換する画像処理が行われる（ステップＡ１２）。図１３は、画像処理された後の写真装飾用画像の処理画像の説明図である。符号３０ｃは写真装飾用画像の処理画像を示している。図１３に図示のように、窓領域外の領域３６の画像データをそのまま残して窓領域３５内を画像データが存在しない空白データとしている。３４ａは窓領域３５の輪郭３４に対応して付加される窓領域の切断位置を表わす切断枠データである。
【００３４】
次に、ステップＳ１２で画像処理された写真装飾用画像３０ｃの画像データに基づいて、Ｙ（イエロー）、Ｍ（マゼンタ）及びＣ（シアン）の各色の印刷データが作成される（ステップＡ１３）。そして、作成された印刷データに基づいてプリンタ部４によって用紙に写真装飾用画像の印刷が行われる（ステップＡ１４）。
【００３５】
写真装飾用画像の印刷の後、印刷された写真装飾用画像の窓領域３５に設けられる切断枠３４ａに沿って用紙を切断する。図１４の符号２０ｄは用紙に印刷された写真画像を示している。また、符号３０ｄは用紙に印刷され窓領域３５が切り抜かれて開口された写真装飾用画像の印刷物を示している。
【００３６】
しかして、用紙に印刷され窓領域３５が切断された写真装飾用画像３０ｄの窓領域３５の裏側周縁に接着剤を塗布し、窓領域３５に写真画像２０ｄの画像表示領域２６が配置されるようにして、写真装飾用画像３０ｄの用紙と写真画像２０ｄの用紙を重ねて接着し印刷物を完成させる。図１５はその完成した印刷物５０を示している。なお、図１４において、写真画像２０ｄの画像表示領域２６の外側周縁は適当に切断してもよい。
【００３７】
以上のように、第２の実施の形態によれば、写真画像の画像データに対して、写真画像の画像表示領域２６内の画像データを残して写真画像の画像表示領域２６を除いた画像領域の画像データを余白データに変換するとともに、写真装飾用画像の画像データに対して、窓領域３５を除いた画像領域の画像データを残して窓領域３５内の画像データを余白データに変換し、写真画像及び写真装飾用画像を夫々用紙に印刷するようにしたので、写真画像の画像表示領域外の領域２７及び写真装飾用画像の窓領域３５など、写真画像と写真装飾用画像が互いに重なり合って隠れてしまう領域や切断されて取り除かれる領域には印刷が行われることがなく、印刷に使用する印刷インクの使用量を少なくすることができる。
【図面の簡単な説明】
【００３８】
【図１】本発明の印刷装置の電子回路の構成を示すブロック図。
【図２】その印刷装置の第１例の印刷処理のフローチャート。
【図３】その印刷装置の第２例の印刷処理のフローチャート。
【図４】第１例の写真画像の元画像の説明図。
【図５】第１例の写真画像の処理画像の説明図。
【図６】第１例の写真装飾用画像の元画像の説明図。
【図７】第１例の写真装飾用画像の処理画像の説明図。
【図８】第１例の写真画像と装飾画像を組み合せる印刷物の組立説明図。
【図９】第１例の写真画像と装飾画像を貼り合せた印刷物の説明図。
【図１０】第２例の写真画像の元画像の説明図。
【図１１】第２例の写真画像の処理画像の説明図。
【図１２】第２例の写真装飾用画像の元画像の説明図。
【図１３】第２例の写真装飾用画像の処理画像の説明図。
【図１４】第２例の写真画像と装飾画像を組み合せる印刷物の組立説明図。
【図１５】第２例の写真画像と装飾画像を貼り合せた印刷物の説明図。
【符号の説明】
【００３９】
１…制御部  ２…入力部  ３…表示部  ４…プリンタ部  ５…ＲＯＭ  ６…ＲＡＭ
７…メモリカード制御部  ９…装飾画像メモリ  １０…記録媒体  １１…記録媒体読取部
１２…Ｗｅｂサーバ  １３…通信制御部  ２０…写真画像の元画像
２０ａ、２０ｃ…写真画像の処理画像  ２２…切抜領域  ２３…切抜領域外の領域
２６…画像表示領域  ２７…画像表示領域外の領域  ３０…写真装飾用画像の元画像
３０ａ、３０ｃ…写真装飾用画像の処理画像  ３２…貼付領域  ３３…貼付領域外の領域
３５…窓領域  ３６…窓領域外の領域  ４０、５０…印刷物
【図１】
2009234157.tif 000003
【図２】
2009234157.tif 000004
【図３】
2009234157.tif 000005
【図４】
2009234157.tif 000006
【図５】
2009234157.tif 000007
【図６】
2009234157.tif 000008
【図７】
2009234157.tif 000009
【図８】
2009234157.tif 000010
【図９】
2009234157.tif 000011
【図１０】
2009234157.tif 000012
【図１１】
2009234157.tif 000013
【図１２】
2009234157.tif 000014
【図１３】
2009234157.tif 000015
【図１４】
2009234157.tif 000016
【図１５】
2009234157.tif 000017